(57)【要約】【課題】弾性糸を含有する編地において、伸長時瞬間的に温度が上昇し、編地の伸縮を繰り返せば永続的に伸長時発熱し、かつ、着用動作による運動追随性に優れる編地の提供。【解決手段】弾性糸と非弾性糸とからなる編地であって、該弾性糸の含有量が３０〜６０ｇ／ｍ2であり、該経編地を８０％まで伸長後元の長さに戻し、伸縮途中の５０％時点での往路応力と復路応力とで求める下記式：      応力比＝（５０％時点の復路応力（Ｎ））／（５０％時点の往路応力（Ｎ））で表される応力比が０．６０〜０．８０であり、経方向密度と緯方向密度との下記式：      密度比＝（経方向密度（コース／インチ））／（緯方向密度（ウェール／インチ））で表される密度比が１．７〜２．２であり、かつ、該編地の８０％伸長時の経方向及び緯方向の伸長応力が３．０〜６．０Ｎであり、さらに、経緯少なくとも一方向の伸長時瞬間発熱温度が１．０℃以上であることを特徴とする前記編地。【選択図】なし【特許請求の範囲】
【請求項１】
弾性糸と非弾性糸とからなる編地であって、該弾性糸の含有量が３０〜６０ｇ／ｍ2であり、該経編地を８０％まで伸長後元の長さに戻し、伸縮途中の５０％時点での往路応力と復路応力とで求める下記式：
応力比＝（５０％時点の復路応力（Ｎ））／（５０％時点の往路応力（Ｎ））
で表される応力比が０．６０〜０．８０であり、経方向密度と緯方向密度との下記式：
密度比＝（経方向密度（コース／インチ））／（緯方向密度（ウェール／インチ））で表される密度比が１．７〜２．２であり、かつ、該編地の８０％伸長時の経方向及び緯方向の伸長応力が３．０〜６．０Ｎであり、さらに、経緯少なくとも一方向の伸長時瞬間発熱温度が１．０℃以上であることを特徴とする前記編地。
【請求項２】
前記編地を構成する組織中の該弾性糸と該非弾性糸との繊度比＝（非弾性糸の繊度／弾性糸の繊度）が１．４〜２．５である、請求項１に記載の編地。
【請求項３】
前記編地を経緯両方向に３０％伸長させた時の編組織一単位中の弾性糸のシンカーループの長さと非弾性糸のニードルループの長さとを加えた長さＬａと、該経編地を経緯いずれか１方向にさらに５０％伸張させた場合の編組織一単位中の弾性糸のシンカーループの長さと非弾性糸のニードルループの長さとを加えた長さＬｂとの比＝（Ｌｂ／Ｌａ）が下式（１）：
１．１５≦Ｌｂ／Ｌａ≦１．６０      （１）
を満たす、請求項１又は２に記載の編地。
【請求項４】
複数筬の経編地であり、弾性糸がアトラス組織にて編成されている、請求項１〜３のいずれか１項に記載の編地。
【請求項５】
ダブル丸編地であり、弾性糸を含有するコースと非弾性糸のみのコースが１完全の編順で１本交互に配置されている、請求項１〜３いずれか１項に記載の編地。
【請求項６】
請求項１〜５のいずれか１項に記載の編地を含み、身体に密着し、かつ、少なくとも関節部を覆う衣服。
【請求項７】
ボトム類、トップス類、レッグ類、サポーター類及び手袋からなる群から選ばれる、請求項６に記載の衣服。
【発明の詳細な説明】
【技術分野】
【０００１】
本発明は、伸長時瞬間的に温度が上昇し、かつ、伸長性及び着用感に優れる、弾性糸を含有する編地、及び該編地からなる衣服に関する。
【背景技術】
【０００２】
従来、身体にフィットするスポーツウェアとして弾性糸を含有し、伸長性に優れ着用感の良いウェア開発がおこなわれている。例えば、以下の特許文献１では、インナー、スポーツウェア、水着等に使用可能な伸長性及び伸長回復性に優れ、これにより、新しい機能である運動追随性及び着用感に優れる編地が提案され、これにより、ウェア着用運動時に肘抜けや膝抜け等の型崩れすることがなく、さらに、タイツではずり落ち、シャツではずり上がり等の不快感がなく着用感が良好となる。しかし、近年、特に冬季には、前記の機能に加え保温衣料等、着用時に温度が上昇する衣服が求められ、このため、セルロース等の吸湿発熱繊維を混合した布帛により衣服を製造し、着用時の人体からの不感蒸泄や発汗により発熱させる布帛（例えば、以下の特許文献２参照）の応用がなされているが、吸湿発熱繊維は、繊維の吸湿量が飽和に達すればそれ以上発熱することは無く、発熱時間が短いばかりでなく、吸湿量が飽和に達した後は、繊維中の水分により冷感を感じることさえあった。さらに、吸湿発熱以外の発熱布帛や発熱衣服として、面状発熱体や線状発熱体などのヒーターを衣服に組み込むことなどが知られているが、いずれも、電気により発熱するもので、衣服とした際は重くなり、電極も必要で動きにくい衣服となる。
【０００３】
また、最近では着用動作時の編地伸長時に発熱するという、これまでと全く違った発熱機能を持つ編地が提案されている（例えば、以下の特許文献３と４参照）。
【先行技術文献】
【特許文献】
【０００４】
【特許文献１】ＷＯ２０１１／０７０８２８
【特許文献２】特開２００３−２２７０４３号公報
【特許文献３】特開２０１１−１９５９７０号公報
【特許文献４】特開２０１２−１１２０７８号公報
【発明の概要】
【発明が解決しようとする課題】
【０００５】
しかしながら、運動追随性を向上させるためには、どちらかというと編地を低応力、高伸度化する必要があり、また、伸長発熱を向上させるには、どちらかというと高応力、低伸度化する必要があり、伸長時発熱するという機能と、運動追随性や着用感に優れる機能とは相反するため、これらの複合化は困難であった。
本発明が解決しようとする課題は、弾性糸を含有する編地において、伸長時瞬間的に温度が上昇し、編地の伸縮を繰り返せば持続的に伸長時発熱し、かつ、運動追随性及び着用感に優れる編地の提供、並びに、該編地を使用したインナー、スポーツウェアなどの衣服に縫製することにより、保温性、伸長部位の筋肉や関節を暖めることによる怪我の防止、及び脂肪燃焼効果を期待できる衣服を提供することである。
【課題を解決するための手段】
【０００６】
本発明者等は、上記課題を解決すべく鋭意検討し実験を重ねた結果、非弾性糸と弾性糸とからなる編地において、以下の構成を有することにより、伸長時の瞬間発熱温度が１．０℃以上とし、運動追随性に優れる編地とすることができることを見出し、本発明を完成するに至ったものである。
すなわち、本発明は以下の通りのものである。
【０００７】
［１］弾性糸と非弾性糸とからなる編地であって、該弾性糸の含有量が３０〜６０ｇ／ｍ2であり、該経編地を８０％まで伸長後元の長さに戻し、伸縮途中の５０％時点での往路応力と復路応力とで求める下記式：
応力比＝（５０％時点の復路応力（Ｎ））／（５０％時点の往路応力（Ｎ））
で表される応力比が０．６０〜０．８０であり、経方向密度と緯方向密度との下記式：
密度比＝（経方向密度（コース／インチ））／（緯方向密度（ウェール／インチ））
で表される密度比が１．７〜２．２であり、かつ、該編地の８０％伸長時の経方向及び緯方向の伸長応力が３．０〜６．０Ｎであり、さらに、経緯少なくとも一方向の伸長時瞬間発熱温度が１．０℃以上であることを特徴とする前記編地。
【０００８】
［２］前記編地を構成する組織中の該弾性糸と該非弾性糸との繊度比＝（非弾性糸の繊度／弾性糸の繊度）が１．４〜２．５である、前記［１］に記載の編地。
【０００９】
［３］前記編地を経緯両方向に３０％伸長させた時の編組織一単位中の弾性糸のシンカーループの長さと非弾性糸のニードルループの長さとを加えた長さＬａと、該経編地を経緯いずれか１方向にさらに５０％伸張させた場合の編組織一単位中の弾性糸のシンカーループの長さと非弾性糸のニードルループの長さとを加えた長さＬｂとの比＝（Ｌｂ／Ｌａ）が下式（１）：
１．１５≦Ｌｂ／Ｌａ≦１．６０      （１）
を満たす、前記［１］又は［２］に記載の編地。
【００１０】
［４］複数筬の経編地であり、弾性糸がアトラス組織にて編成されている、前記［１］〜［３］のいずれかに記載の編地。
【００１１】
［５］ダブル丸編地であり、弾性糸を含有するコースと非弾性糸のみのコースが１完全の編順で１本交互に配置されている、前記［１］〜［３］いずれかに記載の編地。
【００１２】
［６］前記［１］〜［５］のいずれかに記載の編地を含み、身体に密着し、かつ、少なくとも関節部を覆う衣服。
【００１３】
［７］ボトム類、トップス類、レッグ類、サポーター類及び手袋からなる群から選ばれる、前記［６］に記載の衣服。
【発明の効果】
【００１４】
本発明の編地が配された衣服は、膝や腕の曲げ伸ばしにより該編地が１．０℃以上発熱して暖かく、保温性に優れると共に、ウェア伸長方向に追随して編地が伸長された際の運動追随性が良好で、着用中に型崩れすることがなく着用快適性に優れる製品となる。さらに、伸長部位の筋肉を暖めることにより怪我の防止効果や脂肪燃焼効果、筋肉温度低下による運動機能低下の防止を期待でき、さらに膝痛等の故障痛の防止及び緩和も期待できる。
【図面の簡単な説明】
【００１５】
【図１】非弾性糸のニードルループの長さと弾性糸のシンカーループの長さを測定する方法を説明する図である。
【図２】実施例８においてダブル丸編機で編成したスムース組織の編成図である。
【図３】編地たるみ性を測定するための装置の概略図である。
【発明を実施するための形態】
【００１６】
以下、本発明について詳細に説明する。
本発明の編地は、２６〜４０ゲージの複数筬の経編機、及び、２８〜３６ゲージの丸編機により製造される非弾性糸と弾性糸とからなる編地であって、該弾性糸の含有量が３０〜６０ｇ／ｍ2であり、該経編地を８０％まで伸長後元の長さに戻し、伸縮途中の５０％時点での往路応力と復路応力とで求める下記式：
応力比＝（５０％時点の復路応力（Ｎ））／（５０％時点の往路応力（Ｎ））
で表される応力比が０．６０〜０．８０であり、経方向密度と緯方向密度との下記式：
密度比＝（経方向密度（コース／インチ））／（緯方向密度（ウェール／インチ））
で表される密度比が１．７〜２．２であり、かつ、該編地の８０％伸長時の経方向及び緯方向の伸長応力が３．０〜６．０Ｎであり、さらに、経緯少なくとも一方向の伸長時瞬間発熱温度が１．０℃以上であることを特徴とする。
【００１７】
本発明における瞬間発熱温度とは、伸縮以外に外部からのエネルギー供給を受けず、風により伸長発熱温度が変化しないような環境下で、編地を６０〜１００％伸長し、次いで緩和してもとの長さに戻す工程を１回とする繰り返し伸縮を１００回行う間に編地が示す最高温度をサーモグラフィで測定し、試験開始前の編地温度との差から算出された値である。
１００回の６０〜１００％伸縮中又は伸縮完了直後に、編地温度が試験開始前編地温度より高くなれば、瞬間発熱していることを示す。本発明の編地は、この方法により測定した瞬間発熱温度が１．０℃以上あることが必要である。１．０℃未満の瞬間発熱温度では、ほとんど発熱を感じられない。瞬間発熱温度は好ましくは１．５℃以上、より好ましくは２．０℃以上である。瞬間発熱温度が高いほど好適であり、人体に悪影響を与えない範囲であれば上限は特に限定されないが、瞬間発熱温度を高くするために弾性繊維の含有量が多くなりすぎると編地がハイパワーとなって衣服として動き難くなるため、瞬間発熱温度は１０℃以下であることが好ましい。また、編地経緯方向のうち、少なくとも一方向の６０〜１００％伸長時の瞬間発熱温度が１．０℃以上であればよく、編地の経方向と緯方向の両者とも瞬間発熱温度が１．０℃以上の編地の場合は、製品縫製時の型入れ方向を特に考慮しなくてもよいが、一方向のみ瞬間発熱する編地の場合は、人体の関節で特に皮膚伸びが大きい方向を、瞬間発熱が大きい編地の方向と一致させれば、運動動作時暖かい衣服を製造することができる。
【００１８】
なお、伸長発熱温度測定時の伸長量設定は、初期長１０．０ｃｍ、幅２．５ｃｍの編地の９．８Ｎ荷重下での編地伸度により設定し、編地伸度が１００％以上の場合の伸長量は１００％、編地伸度が６０％以上１００％未満の場合の伸長量は、９．８Ｎ荷重下の伸度に０．９倍した値の伸長量とし、例えば、９．８Ｎ荷重下の編地伸度が８０％の場合の伸長量は８０×０．９＝７２％として設定する。９．８Ｎ荷重下の編地伸度が経方向又は緯方向のいずれか一方の編地伸度が６０％以上となるよう設計することが必要であり、経方向と緯方向の両方とも伸度が６０％未満の場合は、衣服着用時の突っ張り感が強過ぎて動き難く、肌に密着する衣服に適さないといえる。９．８Ｎ荷重下の編地伸度の測定法、発熱温度の測定法は、以下の実施例において具体的に説明する。
【００１９】
弾性糸を含有する従来の編地は、編地に伸縮性を持たせ衣服着用時に心地よいフィット感を付与するもので、これにより、スリムな審美性の衣服を得たり、運動機能を向上させたりするものであった。これに対し本発明の目的の一つは、伸縮により発熱をする編地を得るものであり、従来品とは全く異なる発想の編地である。６０〜１００％伸長時の瞬間発熱温度を１．０℃以上とするには、弾性糸の含有量、弾性糸と非弾性糸との繊度比、ループ数、編地の応力比等を適正な範囲とすること、すなわち、糸使い、ループ構造等の編地設計と、伸長発熱を効率的に発揮するための加工法を含めた編地製造方法とが重要である。本発明により初めて６０〜１００％伸長時の瞬間発熱温度が１．０℃以上である伸縮性編地が得られ、衣服として着用した時に、着用時の人体関節の伸長量である僅か３０〜５０％の伸長でも高く発熱し、着用時に発熱が実感できるようになったものである。
【００２０】
本発明における編地において、６０〜１００％伸長時の瞬間発熱温度を１．０℃以上とするには、弾性糸が伸長発熱に大きく寄与している為、弾性糸の含有率が重要であり、そのため、編地中に弾性糸を３０〜６０ｇ／ｍ2含有させることが必要である。弾性糸を多く含有するほど発熱温度が高くなるため、編地中の弾性糸の含有率は、好ましくは２５〜４５ｇ／ｍ2である。弾性糸の含有量が少ないと伸長発熱温度が低く、また、弾性糸の含有量が多くなり過ぎると編地重量が増し、編地がハイパワーとなって衣服として動き難くなるため、弾性糸の含有量は３０〜６０ｇ／ｍ2とするのがよい。
【００２１】
本発明の編地について、伸長発熱し、かつ運動追随性に優れる編地設計について検討した結果、本願発明者らは、これらの目的を達成する最適な編地の応力比、及び規定した応力比を達成する手段を見出した。
例えば、弾性糸は伸長される際発熱し、伸長緩和時吸熱され、完全な弾性体、すなわち、伸長時の伸度―応力曲線（Ｓ−Ｓカーブ）が全く重なっている様な弾性体は伸長時の発熱と伸長緩和時の吸熱温度はほぼ同じとなり、つまり、伸長時と伸長緩和時のサイクル全体で発熱量はほぼ０となる。本発明では、編地の伸長時の発熱温度に対して、伸長緩和時の吸熱を最小限に抑えるための編地応力比の規定、及び規定した応力比の範囲を達成するための手段を見出したものである。
【００２２】
応力比については、最適な条件があり、すなわち、伸縮時の応力比は０．６０〜０．８０であることが極めて重要である。一般の編地の応力比は０．８０超であるが、応力比が０．８０より大きいと伸長時発熱しても伸長緩和時に吸熱現象が生じ、結果として発熱が小さくなりやすい。また、応力比が０．６０未満の場合は、伸長時発熱は高くなるが、衣服とした際は運動追随性が十分でなく、肘や膝の関節部を曲げ伸ばした後に編地が変形して衣服が型崩れして好ましくない。応力比のコントロールは弾性糸の含有量、弾性糸そのものの応力比（弾性糸の伸長時、伸張５０％での往復の応力性能）弾性糸と非弾性糸との繊度比、弾性糸のループ構造、弾性糸の編地中での配置、編地の滑り性により、応力比のコントロールが可能である。弾性糸と非弾性糸との繊度比については、繊度比が大きくなるほど応力比は小さくなり、さらに、一般的な弾性糸より小さい応力比の弾性糸を使用して編地作製する方法、あるいは、編地の染色仕上げ時でも応力比のコントロールが可能で、特に、ヒートセット時の加熱条件を強くするのが効果的で、通常のセット温度よりも若干高くして、１９０〜１９５℃でのヒートセットが好ましく、セット温度を高くできない場合は、セット時間を通常のセット時間より長くすればよく、例えば、７０〜９０秒程度とするのが好ましい。さらに、編地が滑りやすくなるように仕上げれば応力比が小さくなり易い。仕上げ剤で具体的に示すと、シリコン系の平滑剤は使用しないことが好ましく、例えば、ポリエステル系の仕上げ剤や、仕上げ剤を使用しないで仕上げることにより応力比を規定の範囲に収めやすい。なお、応力比は、編地を８０％まで伸長後元の長さに戻し、伸縮途中の５０％時点での往路応力と復路応力を求め、下記式：
応力比＝（５０％時点の復路応力（Ｎ））／（５０％時点の往路応力（Ｎ））
により、少数点以下３桁目を四捨五入して求める。
尚、編地を８０％まで伸長して伸縮途中の応力で応力比を求めるが、編地伸度が低くて８０％まで伸長困難な場合は、６０％まで伸長して伸長後元の長さに戻し、伸縮途中の５０％時点での往路応力と復路応力から応力比を求める。
また、応力比を伸長、及び、回復５０％時点での応力により求めるのは、編地伸長時に発熱した温度を伸長回復時に吸熱する程度を捉えやす、応力比が小さいほど吸熱温度が低く、高い伸長発熱温度が得られるからである。
【００２３】
本発明の編地は、衣服として着用時の動作により弾性糸が効率よく伸長されることも重要である。すなわち、弾性糸を含有する従来の編地では、弾性糸が編地中に蛇行や湾曲しており、編地伸長時に、まず弾性糸の蛇行又は湾曲が伸ばされ、弾性糸が真っ直ぐになる。さらに、ニードルループとシンカーループの交差部でループのズレも生じ、伸長方向によりニードルループ又はシンカーループが小さくなる、すなわち、ニードルループとシンカーループの長さの合計の変化に優先して、弾性糸の蛇行や湾曲が真っ直ぐになったり、ループ変形が生じ、それらの変化の後、弾性糸が伸長されるため、本発明の求める伸長時の発熱を得るには非常に効率の悪い構造である。
【００２４】
これに対し本発明の編地では、編地中の弾性糸の蛇行や湾曲が極めて小さく、編地の伸長が効率よく弾性糸を伸長することになり、その結果、伸長時高い発熱の編地となる。従来編地と本発明の経編地とのこれらの構造的な差異は、次の方法により明確にできる。
編地を経又は緯方向のいずれか一方向に３０％伸長し、他の方向の伸長率は０％として伸長させた時の、編組織一単位中の弾性糸のシンカーループの長さと非弾性糸のニードルループの長さとを加えた長さをＬａとする。さらに、Ｌａを測定した方向と同じ方向に編地を５０％伸長させた場合の編組織一単位中の弾性糸のシンカーループの長さと非弾性糸のニードルループの長さとを加えた長さをＬｂとする。伸長時高い発熱の編地とするためには、１．１５≦Ｌｂ／Ｌａ≦１．６０を満足することが好ましい。編組織や染色加工工程条件を調整することより、Ｌｂ／Ｌａをこの範囲にすることができる。Ｌｂ／Ｌａがこの範囲内であれば着用感を損なうことなく編地は伸長時に発熱する。なお、Ｌｂ／Ｌａが１．１５未満であれば、編地中の弾性糸の伸長率が低く、その結果、伸長時の発熱温度も実感できないほど低い。さらに、弾性糸の伸長及び伸長回復が悪く、伸長した編地が元に戻らず編地が波打って型崩れが生じ易い。また、１．６０より大きいと、弾性糸のパワーが高くなりすぎるため着用し難かったり、動き難い衣服となるばかりでなく、編地の変形が大きく、弾性糸と共に非弾性糸の変形も大きくなりすぎる結果、伸長回復性が不足し、伸長緩和時に編地が波打ったり、洗濯による寸法変化が生じたりして、型崩れの原因となる。従って、ＬａとＬｂは、１．１５≦Ｌｂ／Ｌａ≦１．６０を満足することが好ましく、より好ましくは１．２０≦Ｌｂ／Ｌａ≦１．５５である。その結果、伸長により発熱するとともに、着用時及び洗濯時に型崩れのない衣服とすることが可能となる。
なお、編地を３０％伸長してＬａを測定した後、さらにＬｂを測定するために５０％伸長するが、編地伸度が低くて伸長困難な場合は、初期長１０．０ｃｍ、幅２．５ｃｍの編地の２２．０５Ｎの荷重下の伸度まで編地を伸長してＬｂを測定すればよい。
【００２５】
本発明において、Ｌａ及びＬｂは、編地のニードルループ側（テクニカルフェース）から撮影した拡大画像を用いて以下に記載する方法で測定した、編組織一単位中の弾性糸のシンカーループの長さと非弾性糸のニードルループの長さから求める。ここで、本来ならニードルループも弾性糸の長さを測定するのが好ましいが、弾性糸のニードルループは非弾性糸により覆われていることが多く、はっきりループ長を測定することが困難である。従って、非弾性糸のニードルループの下に隠れて弾性糸のニードルループが存在していると確認できる箇所を選択し、伸長時に弾性糸とほぼ同じ動きをする非弾性糸のニードルループの長さを測定して、編地伸長による弾性糸のニードルループ長変化の代用とする。無論、拡大画像を撮影する箇所として、非弾性糸に下に隠れて弾性糸のニードルループが存在しない箇所は選択しない。
【００２６】
以下、各ループ長の測定方法について図１を参照して説明する。編地の経緯両方向へ３０％伸長し、この状態で編地のニードルループ側を拡大観察する。図１に示すように、非弾性糸のニードルループの下部両側で観察可能なニードルループの最下部２カ所をそれぞれ、始点２と終点３とし、始点２から終点３に至るループ長を測定して、非弾性糸のニードルループ（１）の長さとする。シンカーループについては、図１に示すように、２ウェール間で観察されるニードルループとニードルループ間の弾性糸について、弾性糸の両端をシンカーループの始点５と終点６とし、その間の長さを測定し、弾性糸のシンカーループ（４）の長さとする。
【００２７】
カバーリング糸を使用している場合等、弾性糸が非弾性糸に覆われている場合は、弾性糸の所在する部位を推定して弾性糸の長さを測定する。この場合、非弾性糸で覆われている部分の弾性糸は直線状に存在するものとして測定する。また、弾性糸がウェルト組織によりシンカーループが２ウェール以上に跨っている場合は、シンカーループの途中に存在するニードルループに隠されている部分のシンカーループは測定せずに表面から観察されるシンカーループのみの長さを測定し、各ウェールのシンカーループ長の和をシンカーループ（ｄ）長とする。
【００２８】
弾性糸及び非弾性糸のどちらも、繊維束の幅方向中央部の長さを測定する。それぞれ測定後に非弾性糸のニードルループ（ａ）の長さに弾性糸のシンカーループ（ｄ）の長さを加え、編組織一単位中のループの長さの合計を求めてＬａとする。次いで、編地をさらに経方向又は緯方向へ５０％伸長し、同様にして編組織一単位中のループの長さの合計を求めてＬｂとする。このような測定を経方向及び緯方向の両方で行ない、経方向伸長又は緯方向伸長いずれかの方向において、１．１５≦Ｌｂ／Ｌａ≦１．６０となればよい。なお、一方向しか伸長できない編地の場合は、伸長可能な方向のみを測定してループの長さとする。
Ｌａ及びＬｂの測定において、各ループの長さをミクロン（μｍ）単位で測定し、少なくとも小数点３桁目までの長さを求め、任意に１０カ所測定した平均長さを求める。この平均長さに基づいてＬｂ／Ｌａを計算し、小数点３桁目を四捨五入する。
【００２９】
また、編組織一単位とは、経編の場合、デンビー組織の様にニットループとシンカーループが一定の規則で繰り返される場合は、ニットループ1ループと、シンカーループ１ループとを加えた長さがＬａ又はＬｂとなり、また、コース方向にニットと挿入を１コース毎に繰り返す場合は、挿入部分のループもニットループとして扱い、ニットループ１ループと、挿入部分のループと、シンカーループ２ループとを加えた長さがＬａ、又はＬｂとなる。
丸編の場合、ニードルループとシンカーループとの組織で繰り返される一単位をいい、例えば、ウェール方向にニットとタックを１ウェール毎に繰り返す場合は、タックループもニードルループとして、ニットループ１ループとタックループ１ループとの和が一単位のニードルループであり、これに、シンカーループ２ループを加えた長さがＬａ又はＬｂとなる。なお、編組織がウェルトの場合は、非弾性糸によるニードルループの幅を、ウェルト組織時のニードルループ長とする。
【００３０】
また、経方向に５０％伸長した場合、主にニードルループが伸長され、シンカーループの伸長は少ない。一方、緯方向に５０％伸長した場合は、主にシンカーループが伸長されニードルループの伸長は少ないのが一般的である。従って、伸長時の発熱は、経方向の伸長時にはニードルループが大きく寄与し、逆に、緯方向の伸長時にはシンカーループが大きく寄与している。これらの各ループのみに注目し、Ｌａ及びＬｂ測定時のニードルループの変化量のみを取り出した場合、経方向５０％伸長時のニードルループの変化量は、伸長前に比べて１．１〜１．６倍が好ましく、緯方向５０％伸長時のシンカーループ変化量は伸長前に比べて、１．８〜４．０倍が好ましい。なお、この場合、編地伸長量よりも変化量が大きくなるのは、シンカーループが伸長により長くなるのは当然であるが、本発明の伸縮性緯編地ではニードルループ部分は伸長してもしっかり固定されていることが多く、ニードルループ部分が緯方向に伸長され難く、その分シンカーループが編地伸長量以上に伸ばされることになり、その結果、編地伸長量よりもシンカーループの変化量が多くなるのである。
【００３１】
本発明による編地で、ループ長の変化比Ｌｂ／Ｌａを１．１５≦Ｌｂ／Ｌａ≦１．６５とするには、経編ではランナー長、シンカー形状の変更及びノックオーバー深さの調整、丸編では度目、編込み長（ループ長）の調整により弾性糸の湾曲や蛇行を減らすこと、さらに、特に染色加工時の密度コントロールにより可能である。すなわち、編地の生機は染色加工により密度が大きく増加し、生機の状態より１．３〜１．８倍程度密度アップすることが一般的である。これは、弾性糸を含有する従来の一般の編地は伸縮性付与が大きな目的で、密度アップをこの程度にすることにより、良好な伸縮性を有する編地が得られるからである。これに対し本発明の編地は、伸長時に発熱させることが第１の目的で、編地の伸長時、編地中の弾性糸が効率よく伸長される必要がある。従って、染色加工上がりの編地の弾性糸はほぼ真っ直ぐな状態となるよう設定する必要があり、反面、伸長性及び着用感に優れている必要があり、その為、染色加工後の編地は通常に仕上げるよりも粗密度に仕上げ、かつ、伸長性を低下させ過ぎないようにするため、生機を若干粗密度で編成すればよい。
【００３２】
本発明の編地について、さらに、伸長発熱し、かつ、伸長性、着用感が良好となる編地設計について検討した結果、本発明者らは、弾性糸と非弾性糸との繊度比が重要であることを見出した。すなわち、弾性糸の含有量が少なくても、非弾性糸との組み合わせ方によっては伸長発熱温度が高く、また逆に弾性糸の含有量が多くても非弾性糸との組み合わせ方によっては伸長発熱温度が高く、かつ、編地応力も高くなり過ぎない組み合わせがあり、これら弾性糸と非弾性糸の糸使いが重要である。染色仕上げ加工後、製品での編地を構成する弾性糸の組織と編地を構成する非弾性糸の組織との繊度比を１．４〜２．５とすることにより、好適に伸長発熱し、伸長性と着用感が良好となる編地とすることが可能で、繊度比が１．４未満では、編地がハイパワーとなって衣服とした際は動き難くなり、また、繊度比が２．５より大きい場合も、風合いが硬くなり、動き難い衣服となるとともに、伸長発熱温度が十分に上昇しない。
【００３３】
なお、本願明細書中、編地を構成する弾性糸の組織、編地を構成する非弾性糸の組織とは以下のように定義する。
経編の場合、複数の筬により経編地を構成する組織で、弾性糸、非弾性糸ともに最もニートループが多い組織、また、弾性糸、非弾性糸が複数の筬を使用している場合も、最もニットループが多い筬による組織であり、さらに、それぞれ複数の筬を使用している際は、弾性糸の場合は最も太い弾性糸の筬による最もニットループが多い組織、非弾性糸の場合は最も細い非弾性糸の筬による最もニットループが多い組織について、それぞれ別々に繊度を測定する。
例えば、３枚筬組織で、フロント非弾性糸５４ｄｔのコード組織、ミドル非弾性糸３３ｄｔのデンビー組織、バック弾性糸３３ｄｔのアトラス組織の場合、経編地を構成する弾性糸の組織で使用している繊維は３３ｄｔ、経編地を構成する非弾性糸の組織で使用している繊維は３３ｄｔで、これらの繊度比を求める。
丸編の場合には、編地を構成する組織（編順で示す各コースの組織）で、弾性糸で構成する最もニットループが多い組織、及び非弾性糸で構成する最もニットループが多い組織について、それぞれ別々に繊度を測定する。例えば、図２での弾性糸の緯編地を構成する組織とは、編順１又は３の組織であり、非弾性糸の緯編地を構成する組織とは、編順１〜４いずれかの組織である。非弾性糸が紡績糸である場合も同様である。弾性糸又は非弾性糸で構成する組織が２種以上の糸で構成され、同じニットループ数である場合には、最も繊度の小さい糸で構成される組織を、緯編地を構成する組織とする。さらに、弾性糸がカバーリング糸、撚糸、噴射加工糸等の被覆弾性糸である場合は、被覆弾性糸の弾性糸と非弾性糸との繊度比を求める。被覆弾性糸で使用されている非弾性糸が２種以上の場合は、最も細い非弾性糸と弾性糸との繊度比を求めればよい。さらに、弾性糸が２種以上の場合は、ニットループが最も多い弾性糸と非弾性糸との繊度比を求め、弾性糸が２種以上で、ニットループ数が同じ場合には、最も太い弾性糸と非弾性糸との繊度比を求める。
【００３４】
本発明による編地では、弾性糸と非弾性糸との繊度比を１．４〜２．５とするが、通常の経編地の繊度比は２．８〜５．０程度であるため、本発明の編地は弾性糸の繊度が非弾性糸の繊度に比較して大きいのが特徴であり、この編地を通常に編成して仕上げた場合、風合いが硬く、編地応力が高くなりすぎることがある。そこで、本発明の編地を製造する場合、編成時に弾性糸を通常より多く伸長して、編地中の弾性糸を見掛け上細くなる様に編成することが重要であり、また、編地の密度を若干下げて編成するのが好ましい。具体的には、通常の編地に比べ、経編の場合は非弾性糸のランナーを数％多くし、弾性糸のランナーを短く、丸編の場合は、非弾性糸の編込み長を数％長くし、弾性糸の伸長率を多くするのが好ましい。
【００３５】
さらに、染色加工時、通常よりも編地を若干伸長気味に仕上げることが好ましく、目安として編地密度設定は、プレセット時に幅方向は生地幅の中央部の密度（ウェール／インチ）が、編機のゲージの２倍となるよう設定し、編地長さ方向の密度（コース／インチ）はウェールの約倍の密度として設定し、染色後に編地の伸長発熱温度、８０％伸長時の応力、応力比等を仮評価し、仕上げ時の密度条件を設定する。例えば、伸長発熱温度が１℃未満の場合は密度を低下させ、応力が高い場合は密度を増加させる、応力比が高い場合は、加熱セット条件を強くする等、仮評価により条件設定する。これらの方法によっても通常の編地より粗密度になっており、これにより、弾性糸の含有量は少し低下するが編地中の弾性糸は伸長されたままとなる結果、通常の経編地では、弾性糸原糸の繊度と、染色加工後の弾性糸の繊度とを比較すると、染色加工後の弾性糸の繊度は、原糸の繊度と同じかそれより数％細くなっているのに対し、本発明の編地では、弾性糸原糸の繊度と染色加工後の繊度を比較した場合、染色加工後、１０〜２０％程度弾性糸が細くなり、伸長発熱温度の低下は少ないのに編地応力は低くすることが可能となっている。さらに、染色加工時に重要なことは、ヒートセット時、セット温度を高くする、セット時間を長くするなど、熱処理条件を強くして、編地を伸長したままセットして、編地中の弾性糸をなるべく細くすることである。また、これらの編地を伸長してセットする目安としては、初期長１０．０ｃｍ、幅２．５ｃｍにサンプリングした編地の９．８Ｎ荷重下での編地伸度を、最大でも１５０％以内となるよう設定することが好ましい。
【００３６】
本発明による糸の繊度比の求め方は、弾性糸と非弾性糸との断面積の比で求める。断面積は、測定する編地を構成する組織中の非弾性糸と弾性糸の断面を観察して断面積を求め、それぞれの断面積についてマルチフィラメントの場合はフィラメント数分の和を、非弾性糸と弾性糸別々に求めた数値を繊度とする。この際、糸の断面は円形、楕円形、Ｗ型、三角形、Ｌ型等種々の形があり、電子顕微鏡等での観察のみでは断面積を測定できない場合が多く、そのため、断面積を容易に求めるには、糸の断面観察時、面積と重量の判っているほぼ均一な用紙に断面を拡大して印刷し、印刷後に断面通りに裁断して裁断後の用紙の重量を測定し裁断前の用紙の重さと拡大率の比で断面積を求めることが可能である。この場合、弾性糸と非弾性糸とを同じ倍率で観察して用紙に印刷して断面を裁断し、弾性糸と非弾性糸の断面積を比較すれば繊度比が容易に求めやすくなる。また、紡績糸の場合も同様に、断面を印刷後に、１本１本の繊維の断面を裁断し、裁断面での繊維数（単糸数）の和を断面積とする。断面積を測定する部位は、ニードルループ部分とシンカーループ部分とで行い、測定はループを変えて、ニードルループ、シンカーループそれぞれ１０ヶ所の断面で求めた平均を断面積、及び繊度比とする。なお、ニードルループ部分、シンカーループ部分とも、同じループでありながら伸ばされていたり、変形等により形状が異なるループが存在している場合、この場合は、編地中最も多い形状の部位で測定し、下記式：
繊度比＝（非弾性糸の断面積）／（弾性糸の断面積）
により求める。
また、用紙に断面を印刷し、断面を切り取って繊度比を求める場合は下記式：
繊度比＝（非弾性糸の断面を切り取った用紙の重量）／（弾性糸の断面を切り取った用紙の重量）
により求める。
【００３７】
本発明の編地及び衣服は、伸長発熱とともにウェアでの運動追随性が良好で、型崩れすることなく、着用感が良好である事を目的とし、これらの目的を達成するため、弾性糸の含有量、応力比、繊度比、Ｌｂ／Ｌａ等の他に、特に運動追随性を良好とするため、編地の８０％伸長時の経方向、及び、緯方向の伸長応力が３．０〜６．０Ｎとするのが好ましく、伸長応力が３．０Ｎ未満では編地応力が低すぎて運動追随性が不十分で型崩れし易く、６．０Ｎより大きいと、動き難く着用感に優れないウェアとなるため、編地の８０％伸長時の経方向、及び、緯方向の伸長応力を３．０〜６．０Ｎとすればよく、このため、弾性糸の繊度とともに、編地の密度比、編地のループ数の限定により達成可能となる。
編地の密度比は、特に運動追随性を良好とするためには編地経方向と編地緯方向の伸度バランスが重要であり、伸度バランスを最適とするために経方向密度と緯方向密度との下記式：
密度比＝（経方向密度（コース／インチ））／（緯方向密度（ウェール／インチ））により求める密度比を、１．７〜２．２の特定の範囲に設定することにより、伸長発熱と運動追随性とのバランスを最適化できるのである。すなわち、通常の編地の密度比は、１．６以下の編地が多く、このため、本願では特にコース方向（経方向）の密度アップが重要で、これにより、密度比を１．７〜２．２の範囲内とするのが好ましく、密度比が１．７未満では、経方向伸度が低く、運動追随性が不良で型崩れや、着用でずれやすいウェアとなり、密度比が２．２より大きい場合は、経方向、または、経緯両方向とも伸長発熱し難い編地となり、本願の目的は達成されない。従い密度比は、１．７〜２．２、より好ましくは、１．８〜２．１とするのがよい。得られた密度比は小数点２桁まで求め、２桁目を四捨五入して密度比とする。
【００３８】
本発明編地では、密度比等に加え、編地の経方向密度（コース／インチ）と編地の緯方向密度（ウェール／インチ）との積であるループ数も重要であり、ループ数を特定の範囲内に入れることにより、伸長発熱と編地の応力とのバランスを最適化できるのであり、すなわち、ループ数が５０００〜１２０００の範囲内が好ましく、弾性糸の含有量、弾性糸と非弾性糸との繊度比が規定の範囲内であっても伸張発熱温度が低かったり、編地が高応力となったりすることがある。ループ数が１２０００より多い場合は編地が高応力となり、動き難い衣服となる、特に、ループ数が５０００未満の場合は、衣服とした際に突っ張り感が高いとともに、編地の通気性も高くなることがあり、編地の伸長発熱温度そのものが低いことに加え、伸長発熱しても通気性が高い事より外気の流入が多く暖かく感じない。これらより、ループ数は好ましくは５０００〜１２０００とし、より好ましくは５５００〜１１５００とすればよい。これらループ数のコントロールは、繊度比、編機のゲージとともに、染色加工時の性量コントロールにより可能で、ループ数を大きくするには、繊度比を小さくする、編機ゲージを密にする、染色加工で編地を幅入れ、追い込み加工により達成し易い。特に、編地のウェールを５０〜８０ウェール／インチとなるよう設計するのが好ましい。また、さらに重要なことは、弾性糸の編成時、通常よりもランナーを短くして編成することであるが、ただ、ランナーを短くし過ぎると糸切れ等のトラブルも発生するので、可能な範囲でランナーを短くすればよい。
【００３９】
本発明による編地は、２６〜４０ゲージの複数筬の経編機、及び、２８〜３６ゲージの丸編機により釜径３０〜４０インチ程度の大口径のシングル丸編機、ダブル丸編機、釜径４インチ程度ストッキング編機、釜径１３〜１７インチの小寸編機等、２６〜４０ゲージ程度の丸編機、及び、ハイゲージの横編機により製造される非弾性糸と弾性糸とからなる編地であって、経編では通常のシングルトリコット編機、ダブルトリコット編機、シングルラッセル編機、ダブルラッセル編機により編成可能で、編組織については通常の組織により編成が可能であるが  本発明の編地は、特に、弾性糸はアトラス組織とするのが好ましく、特に、ループ構造として、アトラス組織中の閉じ目によるループが５０％以上のアトラス組織が好ましく、さらに好ましくは、すべて閉じ目のアトラス組織が好ましい。
すべて閉じ目のアトラス組織とは、例えば、１０／２１／２３／１２、１０／３２／４５／２３等であり、通常のアトラス組織では閉じ目と開き目の組み合わせであり、このループ構造では伸長回復性に優れ、応力比も高くなるのに対し、すべて閉じ目のアトラス組織となっていることにより、伸長時にループのひずみが大きく応力比を０．６〜０．８とすることが可能とし易い。また、通常のアトラス組織で応力比を０．６〜０．８の編地を製造した場合、伸長発熱性には優れるが、運動追随性が不十分となるが、全て閉じ目のアトラス組織とすることにより、応力比では捉えきれない瞬間的な伸長回復性に優れることが判り、応力比が０．６〜０．８の範囲でも伸長発熱性と運動追随性に優れることを見出した。なお、非弾性糸の組織については、デンビー、コード、アトラス等の開き目、あるいは閉じ目と、任意に選定できる。
【００４０】
また、緯編でも通常のシングル丸編機、ダブル丸編機、ハイゲージの横編機により編成可能で、編組織については通常の組織により編成が可能であるが、特に、ダブル丸編地であり、弾性糸を含有するコースと非弾性糸のみのコースが１完全の編順で、１本交互に配置されていることが好ましい。図２の例では、編順１〜４が１完全であり、この１編順の中で弾性糸を含有するコースが編順１、及び３であり、非弾性糸のみのコースが、編順２、及び４で、図２の場合はこれら弾性糸を含有するコースと非弾性糸のみのコースが１本交互となっている。さらに好ましくは、基本とする編組織はスムースが好ましく、これにより、弾性糸は編順の１本交互に配置されているにもかかわらず、編地中では弾性糸のループが連続していることになり、全てのコースで弾性糸を含む組織では応力比が高くなり過ぎ応力比が０．８より高くなるが、本願組織により、応力比を０．６〜０．８とすることが可能となり、さらに、応力比が本願発明の範囲でも、弾性糸のループが繋がっている事より応力比で捉えきれない瞬間的な伸長回復性に優れることが判り、伸長発熱に優れ、かつ、運動追随性に優れるウェアとなることを見出した。
本発明の編地は、編組織や、糸使いを変更したり、樹脂プリント等を施したりすることにより、点状、直線状、曲線状等の部分的にパワーが異なる高パワー部と低パワー部とを混在させてもよい。この場合、編地中の一部分でも本性能を満足すればよい。例えば、膝など伸長発熱効果が欲しい部分のみ高伸長発熱編地を配し、膝回り等は高パワーの定伸長編地を配置することも可能で、この場合、膝の動きで暖かくなり、また、低伸長部で膝関節の保護等を狙った製品とすることが可能となる。
【００４１】
本発明の編地に使用する弾性糸は、ポリウレタン系又はポリエーテルエステル系の弾性糸であることができ、例えば、ポリウレタン系弾性糸としては、乾式紡糸又は溶融紡糸したものが使用でき、ポリマーや紡糸方法は特に限定されない。弾性糸の破断伸度は４００％〜１０００％程度であり、かつ、伸縮性に優れ、染色加工時のプレセット工程の通常処理温度１８０℃近辺で伸縮性を損なわないことが好ましい。また、弾性糸としては、特殊ポリマーや粉体添加により、高セット性、抗菌性、吸湿、吸水性等の機能性を付与した弾性糸も使用可能である。弾性糸の繊度に関しては、２０〜８０ｄｔｅｘ程度の繊維の使用が可能で、編地製造が容易で伸長発熱温度も高く、さらに、運動追随性も良好な編地とするため、３０〜６０ｄｔｅｘ程度の弾性繊維の使用が好ましい。また、弾性糸に非弾性糸を巻きつけたカバーリング糸、撚糸した糸、及び非弾性糸と弾性糸とを空気噴射等により混繊した混繊糸等、これら被覆弾性糸の使用も可能である。
【００４２】
さらに本発明の編地は、弾性糸に無機物質を含有することが可能で、含有する無機物質の性能を加味した編地とすることができ、例えば、酸化チタンを含有させると、編地の発熱を酸化チタンに蓄え、遠赤外線効果による保温性を付与することができる。無機物質の含有法としては、弾性糸の紡糸原液に無機物質を含有させて紡糸する方法が最も簡単である。本発明でいう無機物質とは、酸化チタン等のセラミックス、カーボン、カーボンブラック等の無機物単体及び／又は無機化合物をいい、弾性糸の紡糸の障害とならない様、微粉末状が好ましい。これら無機物質は弾性糸に１〜１０重量％含有されていることが好ましく、無機物質を含有することにより、編地の発熱時保温効果をより効果的に発揮することが可能となる。なお、無機物質は少ないと保温効果が小さく、多すぎると紡糸時や伸長時に糸切れすることがあるため、１〜１０重量％の含有が好ましく、より好ましくは２〜５重量％の含有である。
【００４３】
本発明の編地に用いられる弾性糸は、ポリウレタン系弾性糸やポリエーテルエステル系弾性糸が挙げられるが、伸長発熱温度を上げるには、弾性糸の分子量を上げる方法がある。他の方法としては、応力比を小さくした弾性糸の使用が好ましく、例えば、特開２００１−１４０１２７号公報に示される、第１級アミン又は第２級アミンのいずれかの１官能性アミン、水酸基、及び第３級窒素又は複素環状窒素から選ばれる少なくとも１種を含む窒素含有化合物と有機ジイソシアナートとが反応して得られる、１分子あたりの平均ウレア結合単位数が４〜４０個であるウレタンウレア化合物；特許第４３４３４４６号公報に示される、第１級アミン及び第２級アミンのうちの少なくとも１種から選ばれる２官能性アミノ基、第３級窒素及び複素環状窒素のうちの少なくとも１種から選ばれる窒素含有基を含む窒素含有化合物と、有機ジイソシアナート、モノ又はジアルキルモノアミン、アルキルモノアルコール、及び有機モノイソシアナートからなる群から選ばれる少なくとも１種の化合物とを反応させて得られるウレア化合物；特開平７−３１６９２２号公報に示される、ポリアクロニトリル系ポリマー、低分子ジオール、及びポリマージオールの混合物と、有機ジイソシアナートとの反応で得られる末端水酸基構造であるポリウレタン；あるいはスチレン−無水マレイン酸共重合体等を添加して紡糸する方法がある。上記末端水酸基構造であるポリウレタンとしては、炭素原子数２〜１０の直鎖状又は分岐状アルキレン基若しくは二価の脂環式炭化水素の両末端に水酸基を有する低分子ジオール及び数平均分子量４００〜３０００の高分子ジオールの混合物（モル比１〜９９）と有機ジイソシアナートとの反応物であって、末端が水酸基でありウレタン基濃度が３ミリ当量／ｇ以上である数平均分子量１００００〜４００００のポリウレタン重合体であることが好ましい。これらを単独で又は２種以上混合して弾性糸中に添加すればよいが、添加量が少ないと伸長発熱温度効果が低く、逆に添加量が多いと、編地伸長回復性が低下し、着用、洗濯により型崩れが生じやすくなるため、添加量は、弾性糸重量に対して２．０〜１５．０％、好ましくは２．５〜８．０％とする。
【００４４】
本発明に用いる非弾性糸としては、ポリエチレンテレフタレート、ポリトリメチレンテレフタレート等のポリエステル系繊維、ポリアミド系繊維、並びにポリプロピレン等のポリオレフィン系繊維、さらに、キュプラ、レーヨン、綿、竹繊維等のセルロース系繊維、羊毛等の獣毛繊維等、あらゆる繊維の使用が可能である。また、これらのブライト糸、セミダル糸、フルダル糸等を任意に使用でき、繊維の断面形状についても、丸型、楕円型、Ｗ型、繭型、中空糸等任意の断面形状の繊維が使用可能であり、繊維の形態についても特に限定されず、原糸、仮撚等の捲縮加工糸が使用でき、非弾性糸の太さは２０〜１１０ｄｔ、好ましくは、３０〜９０ｄｔの非弾性糸の使用が好適である。さらに、長繊維でも紡績糸でもよく、また、２種以上の繊維を撚糸、カバーリング、エアー混繊等により混合した複合糸の使用も可能である。さらには、繊維自体での混合ではなく、編機上での２種以上の繊維の混合も無論可能である。
【００４５】
本発明に用いる非弾性糸、特に、ポリエステル系繊維、ポリアミド系繊維、セルロース系繊維の場合には、無機物質を０．３〜５重量％含有していることが好ましい。無機物質を含有することにより、弾性編地の発熱時、保温効果をより効果的に発揮することが可能となる。なお、無機物質は、少ないと保温効果が小さく、多すぎると紡糸時や伸長時に糸切れすることがあるため、０．５〜５重量％の含有がより好ましく、さらに好ましくは０．４〜３重量％の含有である。
【００４６】
本発明の編地では、非弾性糸にセルロース等の吸湿発熱する素材を使用すれば、着用時吸湿により発熱し、運動することによっても発熱することになり、本発明の効果をより高めることが可能である。さらに、紡績糸の使用や起毛により発熱した熱を逃がし難くでき、保温効果を高めることも可能である。
【００４７】
本発明の編地の染色仕上げ方法としては、通常の染色仕上げ工程を使用でき、使用する繊維素材に応じた染色条件とし、使用する染色機も液流染色機、ウインス染色機およびパドル染色機など任意であり、吸水性や柔軟性を向上させる加工剤や、保温性を高める加工剤の使用も可能である。
【００４８】
本発明の経編地は、スパッツ、スポーツタイツ、コンプレッションタイツ、ガードル等のスポーツ、インナー用等ボトム類、肌着、スポーツシャツ、コンプレッションシャツ等のトップス類、パンティーストッキング、ソックス、タイツ、レギンス等のレッグ類、肘サポーター、膝サポーター、腰サポーター、足首カバー、アームカバー、レッグカバー、ニーカバー、エルボーカバー、等のサポーター類、手袋等の、着用動作時に編地が伸長される関節部を覆う衣服に縫製すれば、日常の動作、運動により暖かい衣服となる。
【００４９】
特に、コンプレッションウェアやスポーツシャツ、すなわち、ジョギング、各種ゲーム、ウォ−キング等、主に運動時に肌に密着させて着用し、運動機能の向上、怪我の防止や保温を狙った長袖又は半袖等の袖付きシャツ、膝上、膝下又は足首までのスパッツ等では、目付けが１５０〜３００ｇ／m2程度の編地からなり、弾性糸を４０〜５０ｇ／ｍ2含有し、弾性糸と非弾性糸との繊度比を１．２〜２．２、応力比を０．５０〜０．７０程度の編地とし、この編地を肘、膝、股下、足首等の関節部へ使用すれば、特に高い発熱効果が得られるため、これら関節部に少なくとも本発明の編地が使用される様に縫製することが好ましい。より関節保護効果等を高める為に、関節部近傍に低伸度の部位を設けることも可能であり、低伸度部位の製造方法としては、編地編成時に鎖編や挿入組織により伸びなくする方法、製品縫製前に伸びにくいテープ状物を縫合又は接着により組み合わせる方法、縫い目で止める方法等があり、これらの方法により、関節保護等の機能が付加される。
【実施例】
【００５０】
以下、実施例により本発明を具体的に説明するが、本発明はこれらの実施例のみに限定されるものではない。なお、実施例における評価は以下の方法により行なった。
（１）サンプリング
以下の測定を行う場所は基本的にランダムで数箇所行なうが、編組織、糸使い、樹脂プリントの有無等によって布帛性能が部分的に異なる編地においては、本発明の性能を満たす部分が確認できない場合、本発明の性能が発現する可能性が高い箇所を優先して測定することができ、経方向と緯方向それぞれの測定を行えるようサンプリングすればよい。
編組織、糸使い、樹脂プリントの有無等が均一である編地においては、サンプリング箇所はランダムでよく、経方向と緯方向それぞれの測定を行えるようサンプリングすればよい。
【００５１】
（２）瞬間発熱温度
瞬間発熱温度の測定は、下記の繰り返し伸縮試験機を使用し、伸長及び緩和（戻し）を規定速度で規定回数繰り返す間の最も高い試料表面温度を測定して求め、編地経方向、及び、緯方向の瞬間発熱温度を測定し、高い方向を瞬間発熱温度とする。
繰り返し伸縮機：デマッチャー試験機（（株）大栄科学精器製作所製）
試料の大きさ：長さ１００ｍｍ（把持部除く）、幅６０ｍｍ
測定環境：温度２０℃、湿度６５％ＲＨの恒温恒湿条件。伸縮以外に外部からのエネルギー供給を受けない状態で測定する。
伸長量：２．５ｃｍ幅の編地の９．８Ｎ荷重下での編地伸度により設定し、編地伸度が１００％以上の場合の伸長量は、１００％、編地伸度が６０％以上１００％未満の場合の伸長量は、９．８Ｎ荷重下の伸度と同じとする。
繰り返し伸縮サイクル：２回／秒
発熱温度測定：繰り返し伸長１００回中、及び伸長終了後の試料表面温度を連続的にサーモグラフィで測定する。サーモグラフィの放射率は１．０に設定する。
発熱温度評価：測定する試料表面が最高温となったときの温度を読み取り、伸縮前の温度と比べ上昇した温度を瞬間発熱温度とする。
編地伸度：長さ１００ｍｍ（把持部除く）、幅２５ｍｍでテンシロン引張り試験機（（株）オリエンテック製  ＲＴＣ−１２１０Ａ）を使用し、下記条件で伸長し、９．８Ｎ荷重下での伸度を測定する。
初荷重０．０１Ｎ
引張り速度及び回復速度：３００ｍｍ／分
引張り長：９．８Ｎ荷重まで伸長
測定：上記条件で伸長し、９．８Ｎ荷重での経方向および緯方向それぞれの伸度を求める。
【００５２】
（３）弾性糸含有量
編地中の弾性糸含有量（ｇ／ｍ2）を、次の方法により求め、小数点一桁を四捨五入する。
編地中の非弾性糸を溶解等により除去し、弾性糸のみの重量を測定して単位面積当りの重量に換算する。非弾性糸を除去することが困難であれば、重量測定後の編地から、弾性糸を溶解等により除去し、非弾性糸のみの重量を測定して、重量減少した分を弾性糸重量とする。
【００５３】
（４）応力比、及び８０％伸長時の応力
応力比を次の方法により測定する。
試料の大きさ：長さ１００ｍｍ（把持部除く）、幅２５ｍｍ
引張り試験機：テンシロン引張り試験機（（株）オリエンテック製  ＲＴＣ−１２１０Ａ）
初荷重：０．０１Ｎ
引張り速度、及び回復速度：３００ｍｍ／分
引張り長、及び測定：８０％伸長まで伸長し、同じ速度で伸長後元の長さに戻し（回復させ）、この条件で伸長、回復を３回繰り返し、３回目の伸縮途中の５０％時点での往路応力と復路応力を求め、下記式により求める。なお、（１）の瞬間発熱温度測定時に測定した伸度が６０〜８０％の編地の場合は、６０％まで伸長して、伸縮途中の５０％時点での往路応力と復路応力を求め、下記式より小数点以下３桁目を四捨五入して求める。また、３回目の８０％伸長時の応力を、伸長応力とする。
応力比＝（５０％時点の復路応力（Ｎ））／（５０％時点の往路応力（Ｎ））
【００５４】
（５）編地たるみ性
運動追随性を、以下に説明する編地たるみ性にて評価した。
図３に示す大栄科学精器（株）製のデマッチャー疲労試験機（ＤＣ−３型）を使用し、試験機の固定試料把持部１ａに２０ｃｍ角にサンプリングした試料を試料固定枠１ｂに固定し試験機に設置する。突き上げ丸棒１ｄの最大突き上げ高さは試料固定枠１ｂから上方に６ｃｍとなるように突き上げ丸棒の高さを調整する。次に、（株）ライブラリー社製高速度カメラ「ひまわりＧＥ２００」を三脚にて試料固定枠と水平位置、及び、試料固定枠前面から２０ｃｍの位置に設置する。
デマッチャー疲労試験機を１分間に５００回の突き上げ動作を行うように設定し、稼働５００回目の突き上げ動作を１秒間に２００コマの条件で撮影する。
撮影した動画より、突き上げ動作５００回後の丸棒下降時に丸棒の先端が試料固定枠の下端を通過した時点を０として、そこから、０．０５秒以内の試料固定枠からの最大試料たるみを、（株）ライブラリー社製動画解析ソフト「Ｍｏｖｅ−ｔｒ／２Ｄ」を使用し編地のたる長を測定し、編地たるみが３．０ｍｍ以下を合格とし、たるみが少ないほど運動追随性に優れる。
【００５５】
［実施例１］
３２ゲージのシングルトリコット編機を使用し、フロント筬に非弾性糸のポリエステル５６ｄｔｅｘ／３６ｆ、バックに弾性糸３３ｄｔｅｘ（商品名ロイカＳＦ：旭化成せんい（株）製）を使用し、次に示す弾性糸が全て閉じ目のアトラス組織にて編成した。
フロント  ２３／１０
バック    １０／２１／２３／１２
編成できた編地を連続精練機でリラックス及び精練を行い、次いで１９０℃で９０秒間ほぼ生機の巾でプレセットを行い、その後、液流染色機でポリエステルの染色を行った。染色後にポリエステル系の吸水柔軟仕上げ剤を付与して、染色後とほぼ同密度で１７０℃６０秒間仕上げセットを行い編地とした。
得られた編地の性能を評価した結果を以下の表１に示す。実施例１の本発明の編地では、伸長時瞬間発熱温度が１．０℃以上であり、衣服とした場合、動き易く運動追随性に優れる衣服とすることができた。
【００５６】
［実施例２〜５、比較例１〜２］
実施例１より密度を粗く幅出しセットして弾性糸含有量を下げた編地（実施例２）、弾性糸、非弾性糸の繊度を変更した編地（実施例３〜５、比較例１〜２）した以外は、実施例１と同様に編地を作製し、評価を行なった。なお、比較例１では前記の変更に加え、プレセット条件を１８５℃６０秒間とした。結果を以下の表１に示す。
【００５７】
［実施例６］
３６ゲージのシングルトリコット編機を使用し、フロント筬に非弾性糸のポリエステル５６ｄｔｅｘ／３６ｆ、バックに弾性糸４４ｄｔｅｘ（商品名ロイカＳＦ：旭化成せんい（株）製）を使用し、次に示す閉じ目のアトラス組織にて編成した。
フロント  ２３／１０
バック    １０／３２／４５／２３
編成できた編地を連続精練機でリラックス及び精練を行い、次いで１９０℃で９０秒間ほぼ生機の巾でプレセットを行い、その後、液流染色機でポリエステルの染色を行った。染色後にポリエステル系の吸水柔軟仕上げ剤を付与して、染色後とほぼ同密度で１７０℃６０秒間仕上げセットを行い編地とした。
得られた編地の性能を評価した結果を以下の表１に示す。実施例１の本発明の編地では、伸長時瞬間発熱温度が１．０℃以上であり、衣服とした場合、動き易く運動追随性に優れる衣服とすることができた。
【００５８】
［実施例７］
２８ゲージのダブル丸編機により、非弾性糸ナイロン５６ｄｔｅｘ／２４ｆと、弾性糸４４ｄｔｅｘ（商品名ロイカＳＦ：旭化成せんい（株）製）を使用し、図２に示すスムース組織中に、弾性糸をプレーティング（添え糸編）して編成した。
【００５９】
[実施例８]
３２ゲージのシングルトリコット編機を使用し、フロント筬に非弾性糸のポリエステル５６ｄｔｅｘ／３６ｆ、バックに弾性糸３３ｄｔｅｘ（商品名ロイカＳＦ：旭化成せんい（株）製）を使用し、次に示す弾性糸が閉じ目のループが５０％であるアトラス組織にて編成した。
フロント  ２３／１０
バック    １０／１２／２３／２１
【００６０】
[実施例９]
３２ゲージのダブル丸編機により、非弾性糸ナイロン５６ｄｔｅｘ／２４ｆと、弾性糸３３ｄｔｅｘ（商品名ロイカＳＦ：旭化成せんい（株）製）を使用し、スムース組織中に全てのコースに弾性糸をプレーティング（添え糸編）して編成した。
編成できた編地を連続精練機でリラックス及び精練を行い、次いで１９０℃で９０秒間ほぼ生機の巾でプレセットを行い、その後、液流染色機でポリエステルの染色を行った。染色後にポリエステル系の吸水柔軟仕上げ剤を付与して、染色後とほぼ同密度で１７０℃６０秒間仕上げセットを行い編地とした。
得られた編地の性能を評価した結果を以下の表１に示す。実施例１の本発明の編地では、伸長時瞬間発熱温度が１．０℃以上であり、衣服とした場合、動き易く運動追随性に優れうる衣服とすることができた。
【００６１】
【表１】
2014198914.tif 000002
【産業上の利用可能性】
【００６２】
本発明の編地は、着用動作時に伸長時瞬間的に温度上昇する編地であり、この編地をスポーツタイツ、スパッツ、コンプレッションタイツ、ガードル等の等ボトム類、肌着、シャツ、コンプレッションシャツ等トップス類、パンティーストッキング、ソックス、タイツ、レギンス等レッグ類、また、膝サポーター、肘サポーター、アームカバー、レッグカバー、ニーカバー、エルボーカバー等のサポーター類、手袋など、関節部を覆う衣服に縫製することにより、着用運動時に編地が発熱し、暖かくて運動追随性に優れ、型崩れのし難い衣服となる。
【符号の説明】
【００６３】
図１
１    非弾性糸のニードルループ（の長さ）
２    非弾性糸のニードルループの始点
３    非弾性糸のニードルループの終点
４    弾性糸のシンカーループ（の長さ）
５    弾性糸のシンカーループの始点
６    弾性糸のシンカーループの終点
図２
１〜４    編順
図３
１ａ    固定試料把持部
１ｂ    試料固定枠
１ｄ    突き上げ丸棒
【図２】
2014198914.tif 000003
【図３】
2014198914.tif 000004
【図１】
2014198914.tif 000005